(57)【特許請求の範囲】
【請求項１】
パネルが装着される支柱もしくは支持枠体に支持ブラケットを介して机天板を着脱可能に装着すると共に前記支柱もしくは支持枠体に着脱自在に連結した脚体により、床面に対して倒れ不能に支持する自立型間仕切における安定支持装置において、
前記脚体を机天板の下面より下方に配置し、
上下一対の連結金具は、それぞれ前記支柱もしくは支持枠体に上下方向に適宜間隔で穿設された係止孔に着脱自在に係合する係合爪付きのフランジ片と、該フランジ片から水平に突出する連結体とを備え、
前記上下両連結金具における各フランジ片は、前記パネルの前面に当接する前片部を備え、
前記上下一対の連結金具を前記脚体の厚さ内に着脱自在に装着する一方、机天板の側部を支持するための略板状の支持ブラケットを前記連結金具の取付け位置より上方の係止孔に着脱可能に装着し、該支持ブラケットの一側面の少なくとも一部を前記脚体の片側面に当接させたことを特徴とする自立型間仕切装置における安定支持装置。
【請求項２】
前記上側の連結金具における係合爪は上向きに突設され、下側の連結金具における係合爪は下向きに突設され、前記脚体の奥面には、前記上下両連結金具における各フランジ片が嵌まる位置決め嵌合部を備えたことを特徴とする請求項１に記載の自立型間仕切装置における安定支持装置。
【請求項３】
前記連結体を前記脚体の厚さ内に挿入し、各連結体の先端部を、脚体の前面側から挿入する取付けボルトに螺着させたことを特徴とする請求項１または請求項２に記載の自立型間仕切装置における安定支持装置。
【発明の詳細な説明】
【０００１】
【発明の属する技術分野】
本発明は、オフィス等に用いる机天板付きの自立型間仕切装置における安定支持装置の構造に関するものである。
【０００２】
【従来の技術】
従来からオフィス等に用いる机天板付きの間仕切装置にあっては、例えば、実公平３−３９５２５号公報に開示されているように、間仕切パネルの前面（表面）の前方にブラケットを介して机天板を支持させると共に、支持部材（支柱）とパネルとの間のスリット内に棚受けブラケットの係止用の係止孔が上下に適宜間隔にて設けられ、該係止孔に係合する上下一対の係合爪を備えた断面Ｌ字状のブラケットの前片にボルト軸を水平前向きに突設する。他方、平板を側面視Ｌ字状に屈曲させた脚部材の垂直板には、前記ボルト軸が挿通可能な上下長孔を穿設する一方、垂直板の裏面には前記スリットに圧入し得る突起を上下に離間して一対備え、前記垂直板の下端から水平に屈曲させて床面に当接し得る脚板を備えた構成が開示されている。
【０００３】
また、実公平６−４１４６２号公報では、間仕切のパネルが取付けられる支柱（スタッド）にその上下方向に一定の間隔で係止孔を設け、机天板を支持すると共に間仕切パネルを安定支持させるための脚体の奥面（後面）に断面略Ｚ字状の上下一対の係止金具を上下移動可能に装着し、該各係止金具の後端には、前記係止孔に係合する下向きの係合爪を備えたものが開示されている。
【０００４】
【発明が解決しようとする課題】
しかしながら、前記の前者先行技術の構成によれば、脚部材は１つのブラケットを介して支柱の係止孔に取付けると共にブラケットから後向きに突出する突起をスリットに圧入しただけであるから、脚部材の下端から前方に延びる脚板の先端側を使用者が横方向に蹴る等外力を加えると、前記脚部材の根元側のブラケットの部分が変形し、脚部材が平面視で間仕切から直角に突出する方向から不用意に変動し易いという問題があった。
【０００５】
また、前記後者の先行技術では、脚体の後端の上下部位に設けた上下一対のブラケットを介して支柱の係止孔に落とし込み係合しただけであるので、やはり、脚体の前端側に平面視でパネルの平面と同じ方向に外力を作用させると、根元側であるブラケットの部分が変形し、脚体が平面視で間仕切から直角に突出する方向から不用意に変動（変位）し易いという問題があった。
【０００６】
本発明は、このような従来の問題点を解決すべくなされたものであって、安定支持装置が不用意に変位しないようにすることが簡単にできるようにした自立型間仕切装置における安定支持装置を提供することを目的とするものである。
【０００７】
【課題を解決するための手段】
前記目的を達成するため、請求項１に記載の発明の自立型間仕切装置における安定支持装置は、パネルが装着される支柱もしくは支持枠体に支持ブラケットを介して机天板を着脱可能に装着すると共に前記支柱もしくは支持枠体に着脱自在に連結した脚体により、床面に対して倒れ不能に支持する自立型間仕切における安定支持装置において、前記脚体を机天板の下面より下方に配置し、上下一対の連結金具は、それぞれ前記支柱もしくは支持枠体に上下方向に適宜間隔で穿設された係止孔に着脱自在に係合する係合爪付きのフランジ片と、該フランジ片から水平に突出する連結体とを備え、前記上下両連結金具における各フランジ片は、前記パネルの前面に当接する前片部を備え、前記上下一対の連結金具を前記脚体の厚さ内に着脱自在に装着する一方、机天板の側部を支持するための略板状の支持ブラケットを前記連結金具の取付け位置より上方の係止孔に着脱可能に装着し、該支持ブラケットの一側面の少なくとも一部を前記脚体の片側面に当接させたものである。
【０００８】
また、請求項２に記載の発明は、請求項１に記載の自立型間仕切装置における安定支持装置において、前記上側の連結金具における係合爪は上向きに突設され、下側の連結金具における係合爪は下向きに突設され、前記脚体の奥面には、前記上下両連結金具における各フランジ片が嵌まる位置決め嵌合部を備えたものである。
【０００９】
そして、請求項３に記載の発明は、請求項１または請求項２に記載の自立型間仕切装置における安定支持装置において、前記連結体を前記脚体の厚さ内に挿入し、各連結体の先端部を、脚体の前面側から挿入する取付けボルトに螺着させたものである。
【００１０】
【発明の実施の形態】
次に、本発明を具体化した実施形態について図面を参照しながら説明する。図１は間仕切装置の平面図、図２は間仕切装置の一部切欠き斜視図、図３は端カバー体を外した状態の間仕切装置の一側端の側面図、図４は要部拡大側面図、図５は間仕切装置の構成部品の斜視図、図７は脚体及び連結金具の側面図、図８は連結金具の一部切欠き斜視図、図９は脚体とブラケット体との当接関係を示す図である。
【００１１】
図示実施例では、オフィスに適用する間仕切装置は複数の間仕切パネル１とその前面及び後面のいずれか一方もしくは双方の面に水平に突設した机天板６（及びコーナ机天板７）とにより構成されている。間仕切パネル１は自立可能な枠体２と、その前後面に着脱自在に取付けられるパネル５とにより構成され、正面視矩形の中空状の枠体２における左右両側の支柱部３は連結用のボルト及び連結ブロックを介して横並び状に連結されており、各支柱部３の前後面には、上下に所定間隔にて、取付け孔４が穿設されている。該取付け孔４に対して、パネル５の裏面に取付けられた係合爪（図示せず）を嵌合させて、枠体２の前後面に上下方向に複数枚のパネル５が着脱可能に張り付けられている。なお、枠体２を図１に示すように、平面視Ｌ字状に連結することにより自立可能であり、図１の右端部には、机天板６の側縁に沿うように幅の狭いパネル５が前後面に着脱可能に張り付けられた枠体（図示せず）を連結することにより、間仕切装置の自立安定性を向上させている。間仕切の端部で枠体２が側方の外に露出している面は端カバー体２９が着脱可能に取付けられている（図１及び図２参照）。
【００１２】
さらに、図２及び図３に示すように、机天板６の一方の側縁が間仕切パネル１から離れて開放されている箇所には、後述するように、安定支持用の脚体１４を、枠体２の支柱部３からほぼ直角に突出するように上下一対の連結金具１７ａ，１７ｂを介して着脱自在に装着するものである。
【００１３】
間仕切パネル１の前後面に装着される机天板は、図１、図２に示すように横並びに連設される。通常の平面視矩形状の机天板６の他、間仕切パネル１のコーナ部に配置されるコーナ机天板７等がある。前記机天板６やコーナ天板７の下面左右両側部位を支持するための側面視略三角形状の支持ブラケット１０は、その後端から突出させた上下複数の係止爪９を、前記枠体２における支柱部３の前後面角部に上下方向に一定間隔で穿設された係止孔８に係合させることにより、間仕切パネル１の前方または後方に突出させる。
【００１４】
支持ブラケット１０の上端の水平板部１０ａには、机天板６（コーナ天板７）の下面に取り付けたボルト１２ａの頭部が嵌まり、且つ机天板６（コーナ天板７）を奥方向（パネル５方向に押し込むとき前記ボルト軸のみが嵌まって前記頭部が抜け不能となる平面視ダルマ状の係合孔１１が穿設されている（図５及び図６参照）。また、左右に隣接する支持ブラケット１０，１０の先端側の上面間を、連結板１３を介して隣接する机天板６，６及びコーナ机天板７の下面にネジ１２ｂ止めすると（図６参照）、並設された机天板６及びコーナ机天板７のガタツキがなくなり、且つ各机天板６をパネル５から離れるように支持ブラケット１０から取り外すことも不能とする。
【００１５】
上述のように、間仕切パネル１の前面に机天板６及びコーナ机天板７を装着する場合、当該間仕切パネル１の前面と机天板６及びコーナ机天板７の後縁との間には、所定寸法（Ｈ１）の隙間を形成しておく（図１、図２、図３及び図６参照）。そして、この隙間を塞ぐように、合成樹脂製の長いカバー体２０を机天板６及びコーナ机天板７に対して支持体２１を介して着脱可能に装着する。以下は机天板６の箇所を代表例として説明する。カバー体２０は、図４、及び図５に示すように、硬質性の天板部２２と軟質性のカバー片とを一体的に押出成形により形成したものであり、例えば、天板部２２はＡＢＳ樹脂の素材を使用し、カバー片２３はスチレン系エストマー等の熱可塑性樹脂を使用する。
【００１６】
カバー体２０における天板部２２には、係合部としての前後一対の係合足２４、２４が一体的に下向きに突設され、かつ係合足２４の長さはカバー体の長さと同じとする突条のものである。各係合足２４、２４の下端部には外向きの爪部２４ａが形成されている。カバー片２３は略板状に形成され、その基端は前記天板部２２の上面とほぼ同一平面となるように水平状に突出している。
【００１７】
前記カバー体２０を支持するための支持体２１は金属板製で、基板２１ａを机天板６の下面にネジ２５止めする。また、基板２１ａの左右両側部から上向きに屈曲形成した前後対の取付け部２６、２６は前記一対の係合足２４、２４を外側から囲んで机天板６の前後方向への移動（位置ずれ）を阻止するように構成されている。したがって、カバー体２０の前後対の係合足２４，２４を支持体２１の前後対の取付け部２６、２６の間に上から押し込むと、カバー体２０の合成樹脂材自体の撓みにて前後対の係合足２４、２４の下端間の寸法が一旦窄まり、両爪部が取付け部２６、２６の係合爪部の下方にて上向きに抜け難い状態に装着できる。
【００１８】
なお、前記カバー体２０の幅寸法の半分の位置を前後方向へのセンター位置とし、該センター位置から各係合足２４、２４の外側縁までの寸法を等しくなるように設定する。これにより、カバー体２０をその前後の向きを逆にして支持体２１に装着したときも、前記隙間を塞ぐことが可能なようにしている。
【００１９】
机天板６の左側または右側の縁が側方から見える箇所では、図４に示すような端キャップ２７における枠状の係止突起を、前記カバー体２０における前後対の係合足２４、２４の内側に嵌合して、端キャップ２７にてカバー体２０の端部を塞ぎ、外観を向上させることができる。机天板６の下面奥寄り部位には、上向き開放の樋状のケーブルダクト２８をビス等で固定することにより、机天板６上のＯＡ機器との配線用コードがカバー片２３の自由端縁を介して上下に挿通するとき、配線用コードの途中の余り部を垂れ下がることなく受けて収納することが簡単にできる。
【００２０】
なお、間仕切パネル１における枠体２の中空部に配線用コードを挿通することができると共に、枠体２の中途高さ位置に前記配線用のコードを受ける配線ダクトを横長に設け、この配線ダクトから間仕切パネル１の前面又は後面にコードを引き出せるように、上下に複数枚配置されるパネル５の上下間に隙間を形成し、該隙間を塞ぐように配線引き出しカバーを装着するようにしても良い。
【００２１】
図６〜図８に示すように、脚体１４は、鋼板を屈曲させた中空状の垂直部１４ａと、該垂直部１４ａの下端に前方向に連設した水平足部１４ｂとからなり、水平足部１４ｂの下面前後部には、アジャスタボルト３０、３０が昇降可能に装着されている。また、脚体１４の高さ寸法は、図２及び図３に示すように、机天板６の配置高さより低く設定されている。垂直部１４ａの内部には、その奥側に補強枠３１がスポット溶接等にて固着されている。補強枠３１には、上下一対の連結金具１７ａ、１７ｂにおける水平前向きの連結体３３が挿通できる挿通孔３４、３４が上下に所定間隔隔てられて穿設されており、同じ高さ位置で垂直部１４ａの前面には、前記連結体３３の前端に形成された雌ねじ部３３ａに螺合する取付けボルト３５のための取付け孔と、取付けボルト３５の頭部を収納できる凹所３６、３６とが設けられている。
【００２２】
上連結金具１７ａは、断面Ｌ字状のフランジ片３７と、該フランジ片３７の前片部３７ａから前向きに溶接等により水平に突設した丸棒状等の連結体３３と、前記フランジ片３７における奥行片部３７ｂの後端から突設させた上下一対の上向き係合爪３９、３９とからなる。下連結金具１７ｂは、断面Ｌ字状のフランジ片３７と、該フランジ片３７の前片部３７ａから前向きに溶接等により水平に突設した丸棒状等の連結体３３と、前記フランジ片３７における奥行片部３７ｂの後端から突設させた上下一対の下向き係合爪４０、４０とからなる。
【００２３】
他方、前記脚体１４における垂直部１４ａの後面には、前記フランジ片３７の前片部３７ａがちょうど嵌まる位置決め嵌合部４１が形成されている（図７参照）。
【００２４】
上記の構成により、脚体１４を枠体２（間仕切１）に取り付けるには、まず下連結金具１７ｂの上下対の下向き係合爪４０、４０を支柱部３の前後面角部に上下方向に一定間隔で穿設された係止孔のうち所定高さの係止孔８、８に係合させる。これにより、下連結金具１７ｂは支柱部３から脱落せず、且つ連結体３３は水平状に前向き突設されることになる。次に、上連結金具１７ａにおける上下対の上向き係合爪３９、３９を同じく所定高さの係止孔８、８に係合させ、この上連結金具１７ａを若干持ち上げて、係合爪３９、３９が係止孔から抜け出さない高さ位置に保持し、この状態で、脚体１４の垂直部１４ａの奥面を前記上下両連結金具１７ａ、１７ｂにおける連結体３３、３３に接近させ、該連結体３３、３３を上下の挿通孔３４、３４に挿通させ、各フランジ片３７を位置きめ嵌合部４１に嵌め入れる。これにより、前記上下両連結体３３、３３は水平姿勢を保持できる。次いで、前記上下両連結体３３、３３の先端が垂直部１４ａ前面側の取付け孔に臨ませた状態で、凹所３６、３６から取付けボルト３５を挿入して、連結体３３の前端の雌ねじ部３３ａに螺着締結すると、脚体１４は前記上下両連結金具１７ａ、１７ｂを介して支柱部３に対して密着固定され、且つ、上連結金具１７ａにおける上下対の上向き係合爪３９、３９と、下連結金具１７ｂの上下対の下向き係合爪４０、４０とが支柱部３の所定高さの係止孔８‥‥に対して上下に突っ張るように配置されているので、脚体１４が上下にずれ移動しないのである。そして、脚体１４の下面のアジャスタボルト３０、３０の高さを調節して床面に当接させると、間仕切装置１は安定した自立状態を保持することができる。
【００２５】
そして、本実施形態では、前記脚体14の外側面の上部寄り部位に、支持ブラケット１０の内側面の一部、例えば、支持ブラケット１０の下端折曲縁条１０ａの少なくとも一部を当接させるように、脚体１４及び支持ブラケット１０の形状寸法を設定しておく（図３及び図９参照）。
【００２６】
このようにすれば、机天板６の下面左右両側が左右一対の支持ブラケット１０に連結されているから、当該支持ブラケット１０が平面視において支柱部３から直角方向に配置された角度が変化しないように拘束されている結果、前記脚体１４の外面に前記机天板６の下面の一側を支持するための支持ブラケット１０の側面の少なくとも一部を当接させておけば、この支持ブラケット１０を側面から押すような外力が前記脚体１４の側面に作用しても、脚体１４が図９において時計方向に回動する変位が起こらないように、前記支持ブラケット１０にて効果的に拘束できる。
【００２７】
他方、脚体１４を支柱部３に連結するための連結金具１７ａ、１７ｂにおける各フランジ片３７の前片部３７ａが垂直部１４ａの奥面に当接し、且つパネル５の前面にも当接した状態で取付けられていれば、脚体１４を図９において、反時計方向に回動するような外力が作用しても、フランジ片３７の前片部３７ａが邪魔になって、前記反時計方向（脚体１４が支持ブラケット１０の側面から離れる方向）に変位しないのである。
【００２８】
なお、脚体１４の垂直部１４ａの前面における凹所に突出した取付けボルト３５の頭部は軟質合成樹脂製のキャップ４２（図８参照）にて覆い、外観を向上させることができる。
【００２９】
前記上下両連結金具１７ａ，１７ｂにおける連結体３３、３３は丸棒乃至角棒状であっても良いし、パイプ状、板状に形成しても良い。
【００３０】
【発明の効果】
以上に詳述したように、請求項１に記載の発明の自立型間仕切装置における安定支持装置は、パネルが装着される支柱もしくは支持枠体に支持ブラケットを介して机天板を着脱可能に装着すると共に前記支柱もしくは支持枠体に着脱自在に連結した脚体により、床面に対して倒れ不能に支持する自立型間仕切における安定支持装置において、前記脚体を机天板の下面より下方に配置し、上下一対の連結金具は、それぞれ前記支柱もしくは支持枠体に上下方向に適宜間隔で穿設された係止孔に着脱自在に係合する係合爪付きのフランジ片と、該フランジ片から水平に突出する連結体とを備え、前記上下両連結金具における各フランジ片は、前記パネルの前面に当接する前片部を備え、前記上下一対の連結金具を前記脚体の厚さ内に着脱自在に装着する一方、机天板の側部を支持するための略板状の支持ブラケットを前記連結金具の取付け位置より上方の係止孔に着脱可能に装着し、該支持ブラケットの一側面の少なくとも一部を前記脚体の片側面に当接させたものである。
【００３１】
このように構成すれば、机天板に連結した支持ブラケットという部材を利用して、机天板の下面より低い位置の脚体の横向きの変位を効果的に阻止できる。また、そのために余分な部品を必要とせず製造コストも低減できる。しかも、支持ブラケットの側面の少なくとも一部が脚体の側面の一部（上部側）と側面視で重なることになり、机天板の下面側の目隠しの役目も奏する。また、支持ブラケットの側面から離れる方向に脚体に横向きの外力が作用したとき、連結金具の前記フランジ片がパネルの表面側を押すことになって拘束し、前記方向に脚体が変位し難くなるという効果を奏する。
【００３２】
また、請求項２に記載の発明は、請求項１に記載の自立型間仕切装置における安定支持装置において、前記上側の連結金具における係合爪は上向きに突設され、下側の連結金具における係合爪は下向きに突設され、前記脚体の奥面には、前記上下両連結金具における各フランジ片が嵌まる位置決め嵌合部を備えたものである。
【００３３】
このように構成すれば、請求項１に記載の発明の効果に加えて、上下両連結金具を脚体に取付けした状態では、前記支柱もしくは支持枠体に対して上下のいずれの方向にも移動不能となり、しっかりと固定でき、脚体がぐらつかず、安定して間仕切を支持することができる。しかも、脚体の床面に対する高さ調節作業も容易になるという効果を奏する。
【００３４】
そして、請求項３に記載の発明は、請求項１または請求項２に記載の自立型間仕切装置における安定支持装置において、前記連結体を前記脚体の厚さ内に挿入し、各連結体の先端部を、脚体の前面側から挿入する取付けボルトに螺着させたものである。
【００３５】
このように構成すれば、請求項１または請求項２に記載の発明の効果に加えて、上下両連結金具を前記支柱もしくは支持枠体に対して仮止めした状態で脚体を上下両連結金具に同時に装着でき、且つ連結体が脚体の厚さ内に位置するので、外から見えなくなり外観が向上する。
【図面の簡単な説明】
【図１】間仕切装置の平面図である。
【図２】間仕切装置の一部切欠き斜視図である。
【図３】端カバー体を外した状態の図２の III−III 線矢視側面図である。
【図４】図３の要部拡大側面図である。
【図５】間仕切装置等の部品を示す一部切欠き斜視図である。
【図６】机天板の取付け状態を示す平面図である。
【図７】脚体の取付け状態を示す側面図である。
【図８】連結金具及び脚体の一部切欠き要部拡大斜視図である。
【図９】図３のIX−IX線矢視拡大断面図である。
【符号の説明】
１      間仕切パネル
２      枠体
３      支柱部
５      パネル
６      机天板
８      係止孔
９      係合爪
１０      支持ブラケット
１４      脚板体
１７ａ    上連結金具
１７ｂ    下連結金具
３０      アジャスタボルト
３１      補強枠
３３      連結体
３４      挿通孔
３５      取付けボルト
３６      凹所
３７      フランジ片
３７ａ      前片部
３９      上向き係合爪
４０      下向き係合爪
【図１】
0003623901.tif 000002
【図２】
0003623901.tif 000003
【図３】
0003623901.tif 000004
【図４】
0003623901.tif 000005
【図５】
0003623901.tif 000006
【図６】
0003623901.tif 000007
【図７】
0003623901.tif 000008
【図８】
0003623901.tif 000009
【図９】
0003623901.tif 000010